(57)【要約】      （修正有）【課題】はがき、各種カード類、チラシ、カタログ、冊子、筒封、封入封緘済封筒など、積上げた状態から最下のものを高頻度で給紙する用紙フィーダーであって、これら用紙の平面サイズの違いや厚さの違いなど、多様な用紙に簡単対応できるフィーダーを提供する。また、ラッピングラインや封入ラインを構成する丁合コンベアに対して、前記フィーダーから給紙された用紙をして、搬送方向と同方向から、ならびに直交する方向からタイミングよく投入するに、同一装置でいずれの方向からでも投入できるように切換え自在に構成した投入機を提供する。【解決手段】給紙ベルトが個別に給紙経路から離脱可能に構成することで、用紙束を位置決めする右ガイドユニットと左ガイドユニットとを小なる用紙に合わせて位置決めできる。大なる用紙の場合は、外側の列を給紙経路まで揺動させて位置復帰することで対応できる。【選択図】図１
2019127389.tif 000002
【特許請求の範囲】
【請求項１】
給紙用の駆動軸に少なくとも4個の駆動プーリーを任意間隔隔てて嵌通し、それぞれの駆動プーリーと対を成す従動プーリーとの間にゴムベルトを張架して多列の給紙ベルトを備え、前記給紙ベルトの従動プーリー側を給紙方向上手にし、下手にかけて前下がりに備えるとともに、それぞれの給紙ベルトが個別に給紙経路から離脱可能に構成すべく前記傾斜角を小とする方向へ揺動自在にした給紙ベルト離脱機構を備え、前記駆動プーリーから給紙方向上手に所定寸法離れた個所から給紙ベルト上ないし更に上手の用紙受台上にかけて用紙積載場所を設け、前記積載場所の給紙方向下手の中央部には、上方から垂下し給紙方向下手に向けて折曲して、その先端部と前記給紙ベルトとの間に所定の隙間を形成する第１ゲート板を備え、前記積載場所の給紙方向下手の両側角部には、前記第１ゲート板の垂下面に向けて積載した用紙の前縁を案内する前ガイド板、積載した用紙の側縁を案内する側ガイド板、ならびに積載した用紙の最下に位置する用紙底面を側縁から部分支持するべく突き出した側底ガイド板から成る右ガイドユニット、ならびに該右ガイドユニットと対を成す左ガイドユニットを備え、更に、前記第１ゲートの給紙方向下手に、給紙ベルトで送り出されようとする用紙を制止して最下の用紙のみ通過させるべく調整を行う押圧調整機構を具備した第２ゲートユニットを、前記各給紙ベルト間の上方に、個別に備えて構成したことを特徴とするフィーダー。
【請求項２】
用紙受け台を給紙方向へ往復動させる駆動機構を備え、振幅が１０乃至５０ｍｍの範囲内で加振動可能に構成したことを特徴とする請求項１に記載したフィーダー。
【請求項３】
積載した用紙束の下部後縁端部に当接させるべく、用紙受け台の底面板から給紙方向上手に向けて上り傾斜になる持上げ板を付設して構成したことを特徴とする請求項２に記載したフィーダー。
【請求項４】
給紙用の駆動軸に少なくとも４個の駆動プーリーを任意間隔隔てて嵌通し、それぞれの駆動プーリーと対を成す従動プーリーとの間にゴムベルトを張架して多列の給紙ベルトを備え、前記給紙ベルトの従動プーリー側を給紙方向上手にし、下手にかけて前下がりに備えるとともに、それぞれの給紙ベルトが個別に給紙経路から離脱可能に構成すべく前記傾斜角を小とする方向へ揺動自在にした給紙ベルト離脱機構を備え、前記駆動プーリーから給紙方向上手に所定寸法離れた個所から給紙ベルト上ないし更に上手の用紙受台上にかけて用紙積載場所を設け、前記積載場所の給紙方向下手の中央部には、上方から垂下し給紙方向下手に向けて折曲して、その先端部と前記給紙ベルトとの間に所定の隙間を形成する第１ゲート板を備え、前記積載場所の給紙方向下手の両側角部には、前記第１ゲート板の垂下面に向けて積載した用紙の前縁を案内する前ガイド板、積載した用紙の側縁を案内する側ガイド板、ならびに積載した用紙の最下に位置する用紙底面を側縁から部分支持するべく突き出した側底ガイド板から成る右ガイドユニット、ならびに該右ガイドユニットと対を成す左ガイドユニットを備え、前記第１ゲートの給紙方向下手に、給紙ベルトで送り出されようとする用紙を制止して最下の用紙のみ通過させるべく調整を行う押圧調整機構を具備した第２ゲートユニットを、前記各給紙ベルト間の上方に、個別に備えて構成したことを特徴とするフィーダーを備え、
更に、該フィーダーの給紙方向下手寄りに投入用の駆動軸を備え、該駆動軸に駆動プーリーを嵌通するとともに、投入方向下手に同方向に伸縮自在な関係で成る外ブラケットと内ブラケットを備え、適度なテンションを維持するべく従動プーリーを配設して投入ベルトを張架し、前記伸縮状態を選択的に位置決めすべく内ブラケットと外ブラケットとに係合機構を備え、前記投入コンベアを前記投入用の駆動軸を中心に水平乃至前下がりに角度変更可能にした投入コンベアを設けて構成したことを特徴とする投入機。
【発明の詳細な説明】
【技術分野】
【０００１】
本発明は、はがき、各種カード、チラシ、カタログ、冊子、帳票、筒封、封入封緘済封筒など、総じて用紙と称するが、積上げた用紙束から最下のものを高頻度で給紙するフィーダーに関する。
また、本発明に係る投入機は、前記したフィーダーを組込んで構成したもので、ラッピングラインや封入ラインの丁合コンベアに対して、前記フィーダーで給紙された用紙をして、該コンベアの搬送方向と同方向から、あるいは直交する方向からタイミングよく投入することができる投入機に関する。
【背景技術】
【０００２】
従来、この種のフィーダーや投入機は２種類に大別される。用紙束の最下のものをメカ式クランプで挟持して引き抜くクランプ方式のものと、ゴムコロやゴムベルトの摩擦力を利用するフリクション方式のものである。本願に係るフィーダーは後者に属し、類似する先行技術として下記のものが公知である。
【先行技術文献】
【特許文献】
【０００３】
【特許文献１】特開２００３−８１４７２号公報
【特許文献２】特開２０１５−２２１７１５号公報
【発明の概要】
【発明が解決しようとする課題】
【０００４】
上記従来技術に基づくフィーダーの欠点として、対象とする用紙が限定される傾向にあることがあげられる。それは、仮に新聞紙を給紙するために開発された構成から成るフィーダーの場合、コピー用紙１枚のような薄い用紙や、はがきやカードサイズのような小さい用紙をして利用せんとすると、サイズ変更や厚さ変更に伴う各種調整に手間がかかってしまうことである。また、カードやはがき用に開発された構成から成るものは、逆も同様、使い勝手が良いとは言い難い。要は、これら用紙の平面サイズの違いや厚さの違い、あるいは平綴じ冊子や中綴じ冊子などではステッチャー針（ホッチキス針）のある部分が局所的に厚くなっているが、そうした多様な用紙に対しても柔軟にして容易に対応することができる多様対応性能が求められる。
特に、通販系や商用のラッピング並びに封入封緘に係る丁合コンベアに臨んで設置される投入機用途の場合は、所謂、なんでもありであり、対象用紙が変更される都度、容易に調整することができるか否かが重要である。また、同一装置で横出し、縦出し、切換え自在の兼用性を具備することも求められる。
【課題を解決するための手段】
【０００５】
本発明は、給紙用の駆動軸に少なくとも4個の駆動プーリーを任意間隔隔てて嵌通し、それぞれの駆動プーリーと対を成す従動プーリーとの間にゴムベルトを張架して多列の給紙ベルトを備え、前記給紙ベルトの従動プーリー側を給紙方向上手にし、下手にかけて前下がりに備えるとともに、それぞれの給紙ベルトが個別に給紙経路から離脱可能に構成すべく前記傾斜角を小とする方向へ揺動自在にした給紙ベルト離脱機構を備え、前記駆動プーリーから給紙方向上手に所定寸法離れた個所から給紙ベルト上ないし更に上手の用紙受台上にかけて用紙積載場所を設け、前記積載場所の給紙方向下手の中央部には、上方から垂下し給紙方向下手に向けて折曲して、その先端部と前記給紙ベルトとの間に所定の隙間を形成する第１ゲート板を備え、前記積載場所の給紙方向下手の両側角部には、前記第１ゲート板の垂下面に向けて積載した用紙の前縁を案内する前ガイド板、積載した用紙の側縁を案内する側ガイド板、ならびに積載した用紙の最下に位置する用紙底面を側縁から部分支持するべく突き出した側底ガイド板から成る右ガイドユニット、ならびに該右ガイドユニットと対を成す左ガイドユニットを備え、更に、前記第１ゲートの給紙方向下手に、給紙ベルトで送り出されようとする用紙を制止して最下の用紙のみ通過させるべく調整を行う押圧調整機構を具備した第２ゲートユニットを、前記各給紙ベルト間の上方に、個別に備えて構成したことを特徴とする多様対応性に富むフィーダーを提供する。
【０００６】
また、前記用紙受け台を給紙方向へ往復動させる駆動機構を備え、振幅が10乃至50mmの範囲内で加振動可能に構成した多用途フィーダーや、更に、積載した用紙束の下部後縁端部に当接させるべく、用紙受け台の底面板から給紙方向上手に向けて上り傾斜になる持上げ板を付設して構成したことを特徴とする多様対応性に富むフィーダーを提供する。
【０００７】
また、前記した丁合コンベアに臨んで各種用紙を順次と投入する投入機であって、前記した多様対応フィーダーを組込み、更に、該フィーダーの給紙方向下手寄りに投入用の駆動軸を備え、該駆動軸に駆動プーリーを嵌通するとともに、投入方向下手に同方向に伸縮自在な関係で成る外ブラケットと内ブラケットを備え、適度なテンションを維持するべく従動プーリーを配設して投入ベルトを張架し、前記伸縮状態を選択的に位置決めすべく内ブラケットと外ブラケットとに係合機構を備え、前記投入コンベアを前記投入用の駆動軸を中心に水平乃至前下がりに角度変更可能にした投入コンベアを設けて構成したことを特徴とする投入機を提供する。
【発明の効果】
【０００８】
本願フィーダーは給紙機構の主体を成す給紙ベルトを少なくとも4列以上の多列に構成し、それぞれの給紙ベルトが個別に給紙経路から離脱可能に構成されているので、用紙の平面サイズの違いに対応するのが著しく容易である。即ち、小の場合は外側に位置するものから駆動軸を中心として揺動下降させることで、取り外すことなく給紙経路から離脱させることできる。これにより、用紙束を位置決めする右ガイドユニットと左ガイドユニットとを当該小なる用紙に合わせて位置決めできる。逆に、大なる用紙の場合は、外側の列を給紙経路まで揺動させて位置復帰することで同様に対応することができる。
また、第２ゲートが給紙ベルト列の間の上方に個別に複数ユニット設けられているので、小なる用紙の場合は、中程の２ユニットのみを用い、大なるものは必要に応じて外側のものも機能化させることが出来る。特に、中綴冊子や内部にハガキやカードが貼込まれている冊子の場合、場所による厚さ不同が顕著であるので、斯様な構成は選択的にして個別に調整できので、従来不調であったものも、本願フィーダーだと良好に給紙できる。
【０００９】
また、丁合コンベア用に適合させるべく格別に構成した本願投入機は、丁合コンベアの搬送方向に対して直交する方向から横出しすることも、あるいは同方向に縦出しすることも容易に設定調整することが出来、その兼用性が高く評価される。また、横出しの場合、伸縮可能な投入コンベアを具備しているので、用紙の小なるものも大なるものも、その中心部が概ねフィンガー位置に到達できるように設定調整することが出来、その結果、用紙の多様化に対応した投入を実施することができる。  
【図面の簡単な説明】
【００１０】
【図１】本願多用途フィーダーに関して側面図で図示した説明図
【図２】本願フィーダーの主要な構成を斜視図で図示した説明図
【図３】本願フィーダーの主要な構成を斜視図で図示した説明図
【図４】本願フィーダーの主要な構成を斜視図で図示した説明図
【図５】本願フィーダーの主要な構成を斜視図で図示した説明図
【図６】用紙束のサイズ変更に伴う対応について説明するための説明図
【図７】用紙束のサイズ変更に伴う対応について説明するための説明図
【図８】第２ゲートと給紙ベルトとの調整例を説明するための説明図
【図９】第２ゲートと給紙ベルトとの調整例を説明するための説明図
【図１０】第２ゲートと給紙ベルトとの調整例を説明するための説明図
【図１１】第２ゲートと給紙ベルトとの調整例を説明するための説明図
【図１２】第２ゲートと給紙ベルトとの調整例を説明するための説明図
【図１３】本願投入機を側面図で図示した説明図
【図１４】本願投入機を平面図で図示した説明図
【図１５】丁合コンベアの搬送方向に直交して設置する場合の説明図
【図１６】丁合コンベアの搬送方向に直交して設置する場合の説明図
【図１７】丁合コンベアの搬送方向と同方向に設置する場合の説明図
【発明を実施するための形態】
【００１１】
＜実施例＞
先ず、図１乃至図４に基づいて本願実施例フィーダーについて説明する。尚、図３ならびに図４は理解を容易にするために構成要件の一部を図示したものである。また、図２については右ガイドユニット１２と対を成す左ガイドユニット１３を取り外した状態で図示している。
図中、１は駆動軸、２は駆動プーリーを指し、本実施例装置では４個の駆動プーリー２を駆動軸１に嵌通している。そして、該駆動プーリー２に対応する従動プーリー３はブラケット（図示せず）を介して給紙方向上手に備えられ、両者の間にゴムベルト４を張架して４列の給紙ベルト５を構成している。また、２１は前記ゴムベルト４の裏面から作用して後述する第２ゲートユニット２２の制止コロ２０との関連で、必要に応じて付設されるバックアップコロである。また、前記した給紙ベルト５であるが、それぞれが単独的に駆動軸１を中心として揺動自在に構成され任意の手段で位置固定される。即ち、給紙ベルト５は給紙方向下手にかけて前下がりに位置づけられて給紙経路を形成するも、紙面右回り、換言すれば、前記傾斜角を小とする方向に揺動させて位置固定することで給紙経路から離脱させることができる。
【００１２】
そして、前記駆動プーリー２から給紙方向上手に所定寸法離れた個所から給紙ベルト５の上面、乃至更に上手の用紙受台６の上面にかけて用紙束３０の積載場所が設定されている。
また、前記積載場所の給紙方向下手の中央部には、上方から垂下し給紙方向下手に向けて折曲して、その先端部と前記給紙ベルト５との間に所定の隙間を形成する第１ゲート板８を備えている。尚、前記した隙間は対象とする用紙厚さや滑りやすさに関連して調整されるが、通常なら３乃至１０ｍｍ程度に設定されることが多い。要は、次位の制止コロ２０に至るに先立って、用紙束３０の下層部をして用紙間に少しのズレを付与しながら一次的に限定通過させるものであり、本願ではゲートと称するも、別名、さばき部材と呼ばれることもある。
【００１３】
また、前記した積載場所の給紙方向下手の両側角部には、前記第１ゲート板８の垂下面に向けて用紙束３０の前縁を案内する前ガイド板９、積載した用紙の側縁を案内する側ガイド板１０、ならびに積載した用紙の最下に位置する用紙底面を側縁から部分支持するべく突き出した側底ガイド板１１から成る右ガイドユニット１２が備えられている。尚、右ガイドユニット１２と対を成す左ガイドユニット１３（図示せず）については、右ガイドユニット１２と対象的に構成され、用紙束３０の幅に合わせて位置決めされる。
【００１４】
また、前記第１ゲート８の給紙方向下手には、給紙ベルト５で送り出されようとする用紙を制止して最下の用紙のみ通過させる第２ゲートユニット２２が備えられている。本実施例では、さばき部材として回転させない円板形状の制止コロ２０を用い、該制止コロ２０を固定するブラケット１７、該ブラケット１７を下方に押し付ける圧縮バネ１９、更に機体に固定された調整台１６をして前記ブラケット１７を上方に押し上げる調整ネジ１８を備え、結果的に支点軸１５を支点にして前記制止コロ２０を斜め上下方向に調整できるように構成されている。尚、この第２ゲートユニット２２は制止コロ２０の下方への位置移動は調整ネジ１８と調整台１６との当接で、所謂、下死点は固定的であるが、上方への位置移動は圧縮バネ１９の押圧力で制限されているだけである。従って、給紙された用紙３０ａは適度な押圧力でさばかれ、結果的に最下の用紙のみ通過する。勿論、用紙の種類、主に厚さ、用紙間の滑り易さ、用紙の剛性などに関連して、圧縮バネ１９の押圧力調整や調整ネジ１８による下死点位置の調整を行う。
【００１５】
尚、図８乃至図１２は、本実施例フィーダーに於ける前記第２ゲートユニット２２の設定に関する典型的な例について、給紙方向下手から上手を臨んで、図示したものである。
先ず、ここで注目すべきは、第２ゲートユニット２２は給紙ベルト５の列間上方に配置されていることである。具体的には、４列の給紙ベルト５に対して３個の第２ゲートユニット２２が配置されている。尚、図示していないが、給紙ベルト５を６列で構成する実施例の場合は、５個の第２ゲートユニット２２で構成することが好ましい。勿論、用途次第で１個あるいは３個で足りることもある。また、第２ゲートユニット２２は、給紙ベルト５の列間上方に限らず、必要に応じて給紙ベルト５上方に設置することもある。
【００１６】
さて、図８の例についてであるが、本例では、４列すべての給紙ベルト５を給紙経路内に置き、第２ゲートユニット２２は３個とも使用されている。それに対して、図９に例示したものは、中程２個の給紙ベルト５と１個の第２ゲートユニット２２が使用されている。このように、給紙された用紙３０ａの幅寸から明らかなように、用紙幅が小なる場合は、基本的に不要な給紙ベルト５は前記した離脱機構によって給紙経路から離脱させる。そうすることで、図６ならびに図７に例示した通り、右ガイドユニット１２と左ガイドユニット１３を用紙束３０の幅に応じてセンター基準で寄せ込むことができる。換言すると、左右のガイドユニット１２，１３の、特に、側底ガイド板１１が給紙ベルト５と干渉することなく寄せ込むことが出来る。従って、従来装置では部品交換等の手間がかかる小なる用紙の場合も、極めて簡単短時間で調整を終えることができる。
【００１７】
また、大なる幅寸の用紙に対しては、図８で図示した通り、すべて使用するのが基本的な調整基準となる。しかし、場合によっては図１０乃至図１２で例示したような設定を採用する。例えば、用紙の幅方向中央部にステッチャー針による綴じ部が存在する場合、あるいは中央部に加えて両側部も含めて３カ所に存在する場合、給紙ベルト５は４列、第２ゲートユニット２２は両側の２個を以て運用する。こうすることで、局所的に厚さ不同を有する用紙も簡単に調整を終えることができる。
また、図１１ならびに図１２に例示した設定で運用する場合もある。例えば、冊子で内部中央部にハガキが貼り込まれている場合、あるいはハガキに代わってプラスチック製のカードが貼り込まれている場合、更にはＣＤということもあり、斯様に中程が厚くなっている場合は、図１１の如く外側をしてさばく、あるいは図１２の如く中程のみでさばくという設定で運用されることもある。いずれにしても、図で例示した以外の設定で運用すること自由であり、本願フィーダーは多様な用紙に柔軟に対応できることが特徴的である。
【００１８】
また、クレジットカードの利用明細を封入封緘した封筒が典型例であるが、斯様な用紙は、利用量に応じて明細書の枚数が異なる関係で１通毎の厚さ不同が著しい。このような場合、第２ゲートユニット２２に於ける圧縮バネ１９の押圧力を強め過ぎると厚ものの通過を阻害しすぎる傾向となるものの、適度に調整すれば、制止コロ２０が自在に変動して薄いものから厚いものまで給紙することが可能になる。尚、ゴムベルト４の摩擦係数は制止コロ２０のそれより大とし、前者は１乃至３程度、後者は０．５乃至１．５程度が望ましい。また、給紙ベルト５を構成するゴムベルト４の裏面に配置される前記バックアップコロ２１は、他の実施例では必要に応じて取り外して構成することもある。この場合、ゴムベルト４の張力に基づく力が用紙下面から作用することになる。
【００１９】
次に、用紙受台６について図２ならびに図５に基づいて説明する。
用紙受台６は基本的に底面板６ａで構成され、図示した実施例では給紙ベルト５から給紙方向上手に向けて延在している。また、底面板６ａの紙面左端部は給紙ベルト５の列間に進入させてゴムベルト４の列間で用紙束３０の下層部が過度に垂れ下がるのを防止する。
また、６ｂは必要に応じて付設する持上げ板で、図１からも明らかなように、給紙方向上手に向けて上り傾斜になる形状で成り、用紙束３０の下部後縁端部を支持する。そして、望ましくは図５にて矢示した通り、給紙方向の前後へ往復動させる。例えば、振幅１０乃至５０ｍｍ、毎秒１乃至３０回、この程度の往復動を与える。これは、用紙束３０の下層部に作用して、用紙を前揃えするに効果的である。特に、用紙の追積みを自動化する場合、後縁部の揃いが乱れることがあっても最終的に前合わせ補正できる効果がある。尚、用紙束３０の給紙方向寸法に応じて、斯様な持上げ板６ｂの位置は適宜変更される。
【００２０】
次に、図１３ならびに図１４に基づいて、本願フィーダーを組込んで構成する投入機の実施例について説明する。
図中、１は駆動モーター１ａが接続された駆動軸であり、該駆動軸１より紙面右側が前記したフィーダーで、その主要部を部分的に図示している。
また、２６は駆動モーター２６ａが接続された投入コンベア２３の駆動軸２６であり、該駆動軸に駆動プーリー２８を嵌通するとともに、投入方向下手に同方向に伸縮自在な関係で成る外ブラケット３１と内ブラケット３２を備えている。そして、従動プーリー２７ａ，２７ｂ，２７ｃならびに２７ｄをして、伸縮してもベルトの張架経路長に大きな変化が生じないように配置し、投入ベルト２５が適度なテンションを維持できるようにして、投入ベルト２５が張架されている。尚、斯様な伸縮に対応するに、他の手段で構成することも可能である。
【００２１】
また、前記伸縮状態を選択的に位置決めすべく内ブラケット３２には、３２ａで指す係合ピンと３２ｂで指すスライドピンが備えられている。また、外ブラケット３１には前記したふたつのピンに係合するＲ溝３１ａとスライド溝３１ｂが形成され、これら両者をして係合機構が構成されている。即ち、図１３に於いて、従動プーリー２７ａに近いところで内ブラケット３２を少し持ち上げ、紙面右側へ動かせば、スライドピン３２ｂをスライド溝３１ｂ内でスライドさせることができ、所望の個所のＲ溝３１ａに前記係合ピン３２ａを落し込むことで、投入コンベア２３を短縮することができる。
【００２２】
尚、図中、２４は押えユニットであり、支点軸２４ａに挿通したブラケット２４ｂに押えコロ２４ｃを取り付け、該押えコロ２４ｃをして従動自在にし、それらの自重で用紙を押さえながら投入ベルト２５で搬送せんと構成したものである。尚、本実施例は４列構成で成る投入コンベア２３であり、前記押えユニット２４は搬送方向に３個、合計１２個をして機能させる例である。また、投入コンベア２３は伸縮させることができるので、好ましくは、最下流あるいは中間にある押えユニット２４に於ける支点軸は、前記内ブラケット３２とともに移動することが出来ように該内ブラケット３２と一体的に構成する。
【００２３】
また、図中、３３は揺動ストップ軸である。前記揺動ストップ軸３３は機体（図示せず）に固定され、投入コンベア２３全体が駆動軸２６を支点として紙面左回りに自重回転しようとするのを止めている。
そして、ラッピングラインや封入封緘ラインなどで周知の丁合コンベアに臨んで本願装置を設置するに、大別して二つの態様がある。即ち、丁合チェーン４３が走行する丁合方向に対して、同方向から用紙を投入する縦出し設置と、直交する方向から投入する横出し設置である。因みに、図１５ならびに図１６に図示したのが横出し設置の実施例であり、図１７に例示したのが縦出し設置の実施例である。以下、図１５乃至図１７に基づいてより詳しく説明する。
【００２４】
図中、４３は丁合チェーン、４２は前記丁合チェーン４３に取り付けられたフィンガー、４０は丁合コンベア枠４４で形成される搬送面である。そして前記丁合チェーン４３に、所定間隔毎に取り付られたフィンガー４２が、走行するに伴って、中受面４１上に投入された用紙３０ａを次々と払い出すことで丁合が進行していく。そして、ここで注目すべきは、投入コンベア２３の設置態様に関することである。即ち、横出しの場合は、投入コンベア２３を概ね水平に、縦出しの場合は前下がり傾斜にして設置されている。また、揺動ストップ軸３３の位置に注目するに、横出しの場合は、前記揺動ストップ軸３３に代えて、丁合コンベア枠４４の肩部４４ａで投入コンベア２３の自重回転を止め、概ね水平になる角度で設置されている。言い換えると、揺動ストップ軸３３は縦出し設定の場合に、投入コンベア２３の自重回転を止めて前下がり傾斜を形成するが、横出し設置の場合は代替え部材が機能する。
【００２５】
いずれにしても、本願投入機は前記した通りに構成することで、縦出しと横出しの両方で兼用することが出来、それに係る調整要素も著しく簡単である。尚、図１５は長さの短い用紙３０ａを投入する場合、図１６は長い用紙３０ａを投入する場合を例示しているが、内ブラケット３２の伸縮状態に注目すれば明らかな通り、装置本体はそのままの位置で、単に内ブラケット３２を前記した通りに伸縮操作するだけ好ましい状態を創出することができる。
【００２６】
以上の通り、本発明に係る多様対応フィーダーならびに該フィーダーを組込んだ投入機は、用紙に関する平面寸法に係る多様性、厚さに係る多様性、用紙同士の滑りやすさに係る多様性、ならびに曲がり易さ難さ等々、謂わば、なんでもありと称されるほど多様化してきた用紙に対して、より良く対応することが可能であり、主として各種の丁合コンベアに臨んで設置するに極めて有用であること確実である。
尚、図面に描いた用紙３０ａの厚さは理解を容易にするために厚く図示したものであって、本願で言う用紙は薄口のコピー用紙から厚さ１０ｍｍ程度の冊子まで包含するものである。
【符号の説明】
【００２７】
１・・駆動軸
１ａ・・駆動モーター
２・・駆動プーリー
３・・従動プーリー
４・・ゴムベルト
５・・給紙ベルト
６・・用紙受台
６ａ・・底面板
６ｂ・・持上げ板
７・・用紙積載場所
８・・第１ゲート板
９  ・・前ガイド板
１０・・側ガイド板
１１・・側底ガイド板
１２・・右ガイドユニット
１３・・左ガイドユニット
１５・・支点軸
１６・・調整台
１７・・ブラケット
１８・・調整ネジ
１９・・圧縮バネ
２０・・制止コロ
２１・・バックアップコロ
２２・・第２ゲートユニット
２３・・投入コンベア
２４・・押えユニット
２４ａ・・支点軸
２４ｂ・・ブラケット
２４ｃ・・押えコロ
２５・・投入ベルト
２６・・駆動軸
２６ａ・・駆動モーター
２７ａ・・第１従動プーリー
２７ｂ・・第２従動プーリー
２７ｃ・・第３従動プーリー
２７ｄ・・第４従動プーリー
２８・・駆動プーリー
３０・・用紙束
３０ａ・・給紙された用紙
３１・・外ブラケット
３１ａ・・Ｒ溝
３１ｂ・・スライド溝
３２・・内ブラケット
３２ａ・・係合ピン
３２ｂ・・スライドピン
３３・・揺動ストップ軸
４０・・搬送面
４１・・中受面
４２・・フィンガー
４３・・丁合チェーン
４４・・丁合コンベア枠
４４ａ・・肩部
【図１】
2019127389.tif 000003
【図２】
2019127389.tif 000004
【図３】
2019127389.tif 000005
【図４】
2019127389.tif 000006
【図５】
2019127389.tif 000007
【図６】
2019127389.tif 000008
【図７】
2019127389.tif 000009
【図８】
2019127389.tif 000010
【図９】
2019127389.tif 000011
【図１０】
2019127389.tif 000012
【図１１】
2019127389.tif 000013
【図１２】
2019127389.tif 000014
【図１３】
2019127389.tif 000015
【図１４】
2019127389.tif 000016
【図１５】
2019127389.tif 000017
【図１６】
2019127389.tif 000018
【図１７】
2019127389.tif 000019